(57)【要約】【課題】  照明系の構成を改良することにより薄型化を図ることのできる電気光学装置を提供する。【解決手段】  本発明の電気光学装置１００は、電気光学物質Ｌを保持する一対の基板７ａ，７ｂと、該一対の基板７ａ，７ｂのうち、表示光が出射される側とは反対側の基板である一方の基板７ａに光を入射させる光源２１と、前記一方の基板７ａにおいて前記電気光学物質Ｌを保持する側とは反対側の面に形成され、前記一方の基板７ａの面内方向に進行しようとする光を前記電気光学物質Ｌの保持された側に向かわせる複数の微小な光路変換斜面７３とを備えている。【選択図】    図３
2006201215.tif 000002
【特許請求の範囲】
【請求項１】
電気光学物質を保持する一対の基板と、該一対の基板のうち、表示光が出射される側とは反対側の基板である一方の基板に光を入射させる光源と、前記一方の基板において前記電気光学物質を保持する側とは反対側の面に形成され、前記一方の基板の面内方向に進行しようとする光を前記電気光学物質の保持された側に向かわせる複数の微小な光路変換斜面とを備えたことを特徴とする、電気光学装置。
【請求項２】
前記一方の基板において前記電気光学物質を保持する側の面には、前記一方の基板の基板材料よりも屈折率の低い低屈折率層が形成されていることを特徴とする、請求項１記載の電気光学装置。
【請求項３】
前記一方の基板は、その板厚が前記光源から遠ざかるに従って薄くなる楔形の形状を有していることを特徴とする、請求項１又は２記載の電気光学装置。
【請求項４】
前記一方の基板において前記電気光学物質を保持する側とは反対側の面には光反射層が配置されていることを特徴とする、請求項１〜３のいずれかの項に記載の電気光学装置。
【請求項５】
光反射層は、前記一方の基板の側面にも配置されていることを特徴とする、請求項４記載の電気光学装置。
【請求項６】
前記一方の基板において前記光源から光が入射される面には研磨加工が施されていることを特徴とする、請求項１〜５のいずれかの項に記載の電気光学装置。
【請求項７】
前記一方の基板において前記光源から光が入射される面にはプリズム加工若しくはブラスト加工が施されていることを特徴とする、請求項１〜６のいずれかの項に記載の電気光学装置。
【請求項８】
前記一方の基板において前記光源から光が入射される面には光学シートが配置されていることを特徴とする、請求項１〜６のいずれかの項に記載の電気光学装置。
【請求項９】
前記光源は、点光源であることを特徴とする、請求項１〜８のいずれかの項に記載の電気光学装置。
【請求項１０】
前記光源は、線光源であることを特徴とする、請求項１〜８のいずれかの項に記載の電気光学装置。
【請求項１１】
前記複数の光路変換斜面は、前記光源を中心とする同心円状に分布していることを特徴とする、請求項９記載の電気光学装置。
【請求項１２】
前記複数の光路変換斜面は、前記光源に近い領域に比較して前記光源から遠い領域で高密度に形成されていることを特徴とする、請求項１〜１１のいずれかの項に記載の電気光学装置。
【請求項１３】
前記一方の基板は他方の基板から張出した張出し部を有しており、前記張出し部にはＦＰＣ基板を介して制御基板が接続されており、前記制御基板は前記一方の基板の裏面側に配置され、前記ＦＰＣ基板は前記張出し部を内側に巻き込むようにして折り曲げて配置されていることを特徴とする、請求項１〜１２のいずれかの項に記載の電気光学装置。
【請求項１４】
前記制御基板は前記一方の基板から張出した張出し部を有しており、前記光源は前記制御基板の張出し部に実装され、前記一方の基板の側端面に対向配置されていることを特徴とする、請求項１３記載の電気光学装置。
【請求項１５】
前記制御基板の張出し部は、前記一方の基板の張出し部から更に張出しており、前記光源は、前記ＦＰＣ基板の折り曲げられた内側の部分において前記一方の基板の張出し部の側端面に対向配置されていることを特徴とする、請求項１４記載の電気光学装置。
【請求項１６】
前記制御基板の張出し部は、前記一方の基板の張出し部とは異なる部分から張出していることを特徴とする、請求項１４記載の電気光学装置。
【請求項１７】
前記光源は、前記ＦＰＣ基板に実装されており、前記ＦＰＣ基板の折り曲げられた内側の部分において前記張出し部の側端面に対向配置されていることを特徴とする、請求項１３記載の電気光学装置。
【請求項１８】
前記ＦＰＣ基板は、その先端部が前記他方の基板に接するように配置されていることを特徴とする、請求項１５又は１７記載の電気光学装置。
【請求項１９】
前記ＦＰＣ基板において前記折り曲げられた内側の面であって前記光源の周囲に配置される部分には、白色のシルク印刷が施されていることを特徴とする、請求項１５，１７，１８のいずれかの項に記載の電気光学装置。
【請求項２０】
前記光源は、前記制御基板が接続された前記ＦＰＣ基板とは別の他のＦＰＣ基板に実装されていることを特徴とする、請求項１３記載の電気光学装置。
【請求項２１】
前記一方の基板は、前記制御基板が接続される張出し部とは異なる部分に他の張出し部を有しており、該他の張出し部には前記他のＦＰＣ基板が接続されており、前記光源は前記他の張出し部の側端面に対向配置されていることを特徴とする、請求項２０記載の電気光学装置。
【請求項２２】
前記他のＦＰＣ基板は、その先端部が前記他方の基板に接するように配置されていることを特徴とする、請求項２１記載の電気光学装置。
【請求項２３】
前記他のＦＰＣ基板において前記光源が実装された側の面には、白色のシルク印刷が施されていることを特徴とする、請求項２０〜２２のいずれかの項に記載の電気光学装置。
【請求項２４】
前記光源を覆うように光反射層が設けられていることを特徴とする、請求項１６，２０〜２３のいずれかの項に記載の電気光学装置。
【請求項２５】
前記一方の基板において前記電気光学物質を保持する側の面には、プリズム効果、レンズ効果、又は拡散効果をもたらす構造が形成されていることを特徴とする、請求項１〜２４のいずれかの項に記載の電気光学装置。
【請求項２６】
前記電気光学物質は液晶であることを特徴とする、請求項１〜２５のいずれかの項に記載の電気光学装置。
【請求項２７】
前記一方の基板において前記電気光学物質を保持する側の面には内面偏光子が形成されていることを特徴とする、請求項２６記載の電気光学装置。
【請求項２８】
請求項１〜２７のいずれかの項に記載の電気光学装置を表示部として備えていることを特徴とする、電子機器。
【請求項２９】
一対の基板の間に電気光学物質を配して電気光学パネルを形成するパネル形成工程と、
前記一対の基板のうち表示光が出射される側とは反対側の基板である一方の基板において前記電気光学物質を保持する側とは反対側の面に、前記一方の基板の面内方向に進行しようとする光を前記電気光学物質の保持された側に向かわせる複数の微小な光路変換斜面を形成する光路変換斜面形成工程とを備えたことを特徴とする、電気光学装置の製造方法。
【請求項３０】
表示光が出射される側とは反対側の基板である一方の基板の裏面側に、当該基板の面内方向に進行しようとする光を表面側に向かわせる複数の微小な光路変換斜面を形成する光路変換斜面形成工程と、
前記一方の基板の表面側を他方の基板に対向させ、両基板の間に電気光学物質を配して電気光学パネルを形成するパネル形成工程とを備えたことを特徴とする、電気光学装置の製造方法。
【請求項３１】
前記光路変換斜面を形成する前に、前記一方の基板に研磨加工又はエッチング加工を行ない、前記一方の基板の板厚が前記光の進行方向に対して光が遠ざかる方向に徐々に薄くなるような楔形の形状を形成する工程を備えたことを特徴とする、請求項２９又は３０記載の電気光学装置の製造方法。
【請求項３２】
前記一方の基板において光が入射される面に研磨加工を行なう工程を備えたことを特徴とする、請求項２９〜３１のいずれかの項に記載の電気光学装置の製造方法。
【請求項３３】
前記一方の基板において光が入射される面にプリズム加工又はブラスト加工を行なう工程を備えたことを特徴とする、請求項２９〜３２のいずれかの項に記載の電気光学装置の製造方法。
【請求項３４】
前記一方の基板において前記電気光学物質を保持する側とは反対側の面に光反射層を配置する工程を備えたことを特徴とする、請求項項２９〜３３のいずれかの項に記載の電気光学装置の製造方法。
【請求項３５】
前記光反射層の配置工程においては、前記光反射層を前記一方の基板の側面にも配置することを特徴とする、請求項３４記載の電気光学装置の製造方法。
【発明の詳細な説明】
【技術分野】
【０００１】
本発明は、光源から出射された光を利用して画像を表示可能な電気光学装置、およびその製造方法、並びにそれを用いた電子機器に関するものである。さらに詳しくは、電気光学装置の照明系に関する技術である。
【背景技術】
【０００２】
近年、携帯電話機、携帯型コンピュータ、ビデオカメラ等といった電子機器では、表示部として液晶装置などといった電気光学装置が広く用いられている。液晶装置では、電極を備えた一対の基板間に電気光学物質としての液晶を保持し、この液晶を電極間で駆動して画像の表示を行う。
【０００３】
このような液晶装置を光の供給方式や表示モードに基づいて区別すると、一方の基板の外面側または内面に設けた反射膜によって、他方の基板から入射した外光を再び他方の基板に向けて反射して表示を行う反射型液晶装置と、一方の基板の外面側に配置した照明装置によって液晶に光を平面的に供給し、他方の基板から出射されていく光によって画像を表示する透過型液晶装置と、外光がある場合には反射型として機能するとともに、外光が不足している場合には透過型として機能する半透過反射型液晶装置とがある（例えば、特許文献１参照）。
【０００４】
透過型液晶装置、あるいは半透過反射型液晶装置で用いられる照明装置の一般的な構成は図１５に示すようなものである。図１５は、照明装置としてバックライト装置を備えた構成を示している。図１５に示すように、バックライト装置３１ａは、液晶層Ｌを保持する素子基板７ａおよび対向基板７ｂのうち、例えば、対向基板７ｂの外面側に対向するように配置される。このバックライト装置３１ａは、導光板４′、およびこの導光板４′の側端面から光を入射させる光源２１とを有している。導光板４′には、対向基板７ｂの側に位置する面に光拡散シート２７、プリズムシート等が設けられ、他方の面には反射シート２８が貼られている。このため、光源２１から出射された光は、側端面４９から導光板４′に入射した後、その面内方向に進行するとともに、反射シート２８で反射し、対向基板７ｂを経て液晶層Ｌに入射する。
【特許文献１】特開２００２−１３３９０７号公報（第６頁、図１）
【発明の開示】
【発明が解決しようとする課題】
【０００５】
液晶装置などの電気光学装置、とりわけ、携帯電話機、携帯型コンピュータ、ビデオカメラなどといった小型の電気機器に搭載される液晶装置においては、小型化および薄型化が強く望まれているが、従来の液晶装置では、バックライト装置３１ａの導光板４′として分厚いものを用いているため、液晶装置の薄型化を図ることができないという問題点がある。そこで、特開２００３−３３００２０号公報では、導光板の機能の一部を液晶パネルの素子基板に担わせ、素子基板とその外面側に貼着した薄型の導光体シートによって従来のバックライトの導光板と同等の機能を実現する構造を提案している。この構成によれば、従来の分厚い導光板を省略でき、電気光学装置の薄型化を図ることができる。
【０００６】
しかしながら、この構成は素子基板を導光手段の一部に組み込むことで従来の厚い導光板を薄型の導光体シートに置き換えるものであり、完全にはバックライト側の構成を省略し得るものではない。このため、十分な薄型化を実現することができなかった。
本発明はこのような事情に鑑みてなされたものであり、本発明の目的は、照明系の構成を改良することにより薄型化を図ることのできる電気光学装置、およびその製造方法、並びにそれを用いた電子機器を提供することにある。
【課題を解決するための手段】
【０００７】
上記の課題を解決するため、本発明の電気光学装置は、電気光学物質を保持する一対の基板と、該一対の基板のうち、表示光が出射される側とは反対側の基板である一方の基板に光を入射させる光源と、前記一方の基板において前記電気光学物質を保持する側とは反対側の面に形成され、前記一方の基板の面内方向に進行しようとする光を前記電気光学物質の保持された側に向かわせる複数の微小な光路変換斜面とを備えたことを特徴とする。ここで、前記電気光学物質としては、液晶等を用いることができる。
本発明に係る電気光学装置において、光源から出射された光は、電気光学物質を保持する一対の基板のうち、一方の基板に入射し、面内方向に進行していく。この際、一方の基板の両面のうち、電気光学物質を保持する側の面から出射された光は、電気光学物質層に入射し、表示に寄与する。これに対して、一方の基板において電気光学物質を保持する側とは反対側の面に形成されている光路変換斜面に当たった光は、ここで光路が変換され、電気光学物質の層に入射し、表示に寄与する。このように、本発明においては、電気光学物質を保持する一対の基板のうち一方が導光板の機能を果たすため、従来別体として設けていた分厚い導光板を省略することができる。特に、本発明では、一方の基板の表面に直接光路変換斜面を形成しているので、特開２００３−３３００２０号公報で用いられるような導光体シートも省略することができる。したがって、十分な薄型化および部品点数の削減による低コスト化を実現することができる。
【０００８】
本発明においては、前記一方の基板において前記電気光学物質を保持する側の面には、前記一方の基板の基板材料よりも屈折率の低い低屈折率層が形成されていることが望ましい。
このように低屈折率層を形成すると、一方の基板に入射された光は、やや大きな入射角の光であっても、一方の基板と低屈折率層との界面で反射しながら基板内を進行する。このため、光の照度分布が光取り込み面側に偏ることがなく、基板全体にわたって均一な照明が可能となる。
【０００９】
本発明においては、前記一方の基板は、その板厚が前記光源から遠ざかるに従って薄くなる楔形の形状を有していることが望ましい。
この構成によれば、照明光の面内輝度均一性を向上することができる。
【００１０】
本発明においては、前記一方の基板において前記電気光学物質を保持する側とは反対側の面には光反射層が配置されていることが望ましい。
この構成によれば、面内方向に進行した光を確実に表示側に出射させることができる。
【００１１】
本発明においては、光反射層は前記一方の基板の側面にも配置されていることが望ましい。
この構成によれば、一方の基板の側面に達した光を再び基板の内側に反射させ、表示に寄与させることができる。
【００１２】
本発明においては、前記一方の基板において前記光源から光が入射される面（光取込み面）には研磨加工が施されていることが望ましい。
この構成によれば、光源から光を入射する際の光のロスを防ぐことができる。
【００１３】
本発明においては、前記一方の基板において前記光源から光が入射される面にはプリズム加工若しくはブラスト加工が施されていることが望ましい。或いは、前記一方の基板において前記光源から光が入射される面にはプリズムシートや拡散シート等の光学シートが配置されていることが望ましい。
この構成によれば、照明光の面内輝度均一性を向上することができる。
【００１４】
本発明においては、前記光源は、ＬＥＤ（Light Emitting Diode）などといった点光源からなるものとすることができる。この場合、前記複数の光路変換斜面は、前記光源を中心とする同心円状に分布していることが好ましい。また、前記光源は、線光源からなるものとすることもできる。例えば、棒状の導光板の両端にＬＥＤを設け、点光源を線光源とすることが好ましい。
このように構成すると、電気光学物質層に入射する光の面内分布が均一となるので、品位の高い画像を表示することができる。      
【００１５】
本発明においては、前記複数の光路変換斜面は、前記光源に近い領域に比較して前記光源から遠い領域で高密度に形成されていることが望ましい。
このように構成すると、電気光学物質層に入射する光の面内分布が均一となるので、品位の高い画像を表示することができる。
【００１６】
本発明においては、前記一方の基板は他方の基板から張出した張出し部を有しており、前記張出し部にはＦＰＣ（Flexible Printed Circuit）基板を介して制御基板が接続されており、前記制御基板は前記一方の基板の裏面側に配置され、前記ＦＰＣ基板は前記張出し部を内側に巻き込むようにして折り曲げて配置されているものとすることができる。
【００１７】
本発明においては、前記制御基板は前記一方の基板から張出した張出し部を有しており、前記光源は前記制御基板の張出し部に実装され、前記一方の基板の側端面に対向配置されているものとすることができる。この場合、前記制御基板の張出し部は、前記一方の基板の張出し部から更に張出しており、前記光源は、前記ＦＰＣ基板の折り曲げられた内側の部分において前記一方の基板の張出し部の側端面に対向配置されているものとすることができる。或いは、前記制御基板の張出し部は、前記一方の基板の張出し部とは異なる部分から張出しているものとすることができる。
この構成によれば、光源と制御基板とを一体化しているため、部品点数を削減することができる。また、制御基板は、通常、ガラスエポキシ樹脂を基材とするため、平面が硬い。そのため、個々の光源の平滑面を容易にだすことができ、光取込み面に対する光の入射を確実に行なわせることができる。
【００１８】
本発明においては、前記光源は、前記ＦＰＣ基板に実装されており、前記ＦＰＣ基板の折り曲げられた内側の部分において前記張出し部の側端面に対向配置されているものとすることができる。
この構成によれば、光源とＦＰＣ基板とを一体化しているため、部品点数を削減することができる。また、ＦＰＣ基板の位置決めは、前記一方の基板に設けたアライメントマークを基準として行なうので位置精度が高い。そのため、ＦＰＣ基板に実装した光源の位置も自動的に高精度なものとなり、位置ずれによる光利用効率の低下が軽減される。
【００１９】
本発明においては、前記ＦＰＣ基板は、その先端部が前記他方の基板に接するように配置されていることが望ましい。
この構成によれば、ＦＰＣ基板が張出し部全体をカバーするように配置されるので、張出し部から外部に光が漏れず、従って、高い光利用効率又はコントラストの高い表示が可能となる。
【００２０】
本発明においては、前記ＦＰＣ基板において前記折り曲げられた内側の面であって前記光源の周囲に配置される部分には、白色のシルク印刷が施されていることが望ましい。
この構成によれば、光源から射出された光を効率的に一方の基板に入射させることができる。
【００２１】
本発明においては、前記光源は、前記制御基板が接続された前記ＦＰＣ基板とは別の他のＦＰＣ基板に実装されているものとすることができる。具体的には、前記一方の基板は、前記張出し部とは異なる部分に他の張出し部を有しており、該他の張出し部には前記他のＦＰＣ基板が接続されており、前記光源は前記他の張出し部の側端面に対向配置されているものとすることができる。
この構成によれば、光源と他のＦＰＣ基板とを一体化しているため、部品点数を削減することができる。また、ＦＰＣ基板の位置決めは、前記一方の基板に設けたアライメントマークを基準として行なうので位置精度が高い。そのため、他のＦＰＣ基板に実装した光源の位置も自動的に高精度なものとなり、位置ずれによる光利用効率の低下が軽減される。また、光源と制御基板とが離れて配置されるため、光源の点灯動作等によるノイズの影響を受けにくい。さらに、光源用のＦＰＣ基板と制御基板用のＦＰＣ基板とは別々に設けられるため、容易に光源をリワークすることができる。
【００２２】
本発明においては、前記他のＦＰＣ基板は、その先端部が前記他方の基板に接するように配置されていることが望ましい。
この構成によれば、他のＦＰＣ基板が他の張出し部全体をカバーするように配置されるので、この他の張出し部から外部に光が漏れず、従って、高い光利用効率又はコントラストの高い表示が可能となる。
【００２３】
本発明においては、前記他のＦＰＣ基板において前記光源が実装された側の面には、白色のシルク印刷が施されていることが望ましい。
この構成によれば、光源から射出された光を効率的に一方の基板に入射させることができる。
【００２４】
本発明においては、前記光源を覆うように光反射層が設けられていることが望ましい。
この構成によれば、光源から射出された光を効率的に一方の基板に入射させることができる。
【００２５】
本発明においては、前記一方の基板において前記電気光学物質を保持する側の面には、プリズム効果、レンズ効果、又は拡散効果をもたらす構造が形成されていることが望ましい。
この構成によれば、照明光の面内輝度均一性を向上することができる。
【００２６】
本発明においては、前記一方の基板において前記電気光学物質を保持する側の面には、内面偏光子が形成されているものとすることができる。
偏光光を用いる電気光学装置、例えば液晶装置では、電気光学物質層の入射側に入射された無偏光状態の光を一偏光に揃える偏光手段が必要となる。本発明においては、電気光学物質を保持する一方の基板を導光体として用いるため、通常のように一方の基板の外面側に偏光板を配置することができない。よって、偏光モードを採用する場合には、一方の基板の内面側に偏光子（内面偏光子）を作り込む必要がある。
【００２７】
本発明の電子機器は、前述した本発明の電気光学装置を表示部として備えていることを特徴とする。
この構成によれば、表示品位の高い薄型の電子機器を提供することができる。
【００２８】
本発明の電気光学装置の製造方法は、一対の基板の間に電気光学物質を配して電気光学パネルを形成するパネル形成工程と、前記一対の基板のうち表示光が出射される側とは反対側の基板である一方の基板において前記電気光学物質を保持する側とは反対側の面に、前記一方の基板の面内方向に進行しようとする光を前記電気光学物質の保持された側に向かわせる複数の微小な光路変換斜面を形成する光路変換斜面形成工程とを備えたことを特徴とする。
この方法によれば、電気光学パネルの一方の基板を直接導光板として利用できるため、従来別体として設けていた分厚い導光板を省略することができる。特に、本発明では、一方の基板の表面に直接光路変換斜面を形成しているので、特開２００３−３３００２０号公報で用いられるような導光体シートも省略することができる。したがって、十分な薄型化および部品点数の削減による低コスト化を実現することができる。
【００２９】
本発明の電気光学装置の製造方法は、表示光が出射される側とは反対側の基板である一方の基板の裏面側に、当該基板の面内方向に進行しようとする光を表面側に向かわせる複数の微小な光路変換斜面を形成する光路変換斜面形成工程と、前記一方の基板の表面側を他方の基板に対向させ、両基板の間に電気光学物質を配して電気光学パネルを形成するパネル形成工程とを備えたことを特徴とする。
本方法は、パネルを組み立てる前に単体の基板の状態で基板を加工し、光路変換斜面を形成するものである。この方法においても、従来別体として設けていた分厚い導光板を省略することができ、薄型化を実現することができる。
【００３０】
本発明においては、前記光路変換斜面を形成する前に、前記一方の基板に研磨加工又はエッチング加工を行ない、前記一方の基板の板厚が前記光の進行方向に対して光が遠ざかる方向に徐々に薄くなるような楔形の形状を形成する工程を備えることが望ましい。
この方法によれば、照明光の面内輝度均一性を向上することができる。
【００３１】
本発明においては、前記一方の基板において光が入射される光取込み面に研磨加工を行なう工程を備えることが望ましい。
この方法によれば、光源から光を入射する際の光のロスを防ぐことができる。
【００３２】
本発明においては、前記一方の基板において前記光源から光が入射される面にプリズム加工若しくはブラスト加工を行なう工程を備えることが望ましい。
この方法によれば、照明光の面内輝度均一性を向上することができる。
【００３３】
本発明においては、前記一方の基板において前記電気光学物質を保持する側とは反対側の面に光反射層を配置する工程を備えることが望ましい。ここで、前記光反射層は、金属膜を成膜することにより配置されるものとすることができる。或いは、前記光反射層は、光反射シートを貼着することによって配置されるものとすることができる。
この方法によれば、面内方向に進行した光を確実に表示側に出射させることができる。
【００３４】
本発明においては、前記光反射層の配置工程においては、前記光反射層を前記一方の基板の側面にも配置することが望ましい。
この方法によれば、一方の基板の側面に達した光を再び基板の内側に反射させ、表示に寄与させることができる。
【発明を実施するための最良の形態】
【００３５】
［第１の実施形態］
以下、図面を参照しながら、本発明の実施の形態について説明する。以下の全ての図面においては、図面を見やすくするため、各構成要素の膜厚や寸法の比率などは適宜異ならせてある。
【００３６】
＜液晶装置の電気的構成＞
図１は、本発明の電気光学装置の第１の実施形態である液晶装置の等価回路図である。
本実施形態の液晶装置１００は、スイッチング素子としてのＴＦＴを備えるアクティブマトリクス方式の透過型液晶表示装置である。液晶装置１００において、画像表示領域を構成するマトリクス状に配置された複数のドットには、画素電極６６ａと当該画素電極６６ａを制御するためのスイッチング素子であるＴＦＴ５６がそれぞれ形成されており、画像信号が供給されるデータ線５２が当該ＴＦＴ５６のソースに電気的に接続されている。データ線５２に書き込む画像信号Ｓ１、Ｓ２、…、Ｓｎは、この順に線順次に供給されるか、あるいは相隣接する複数のデータ線５２に対してグループ毎に供給される。また、走査線５１がＴＦＴ５６のゲートに電気的に接続されており、複数の走査線５１に対して走査信号Ｇ１、Ｇ２、…、Ｇｍが所定のタイミングでパルス的に線順次で印加される。また、画素電極６６ａはＴＦＴ５６のドレインに電気的に接続されており、スイッチング素子であるＴＦＴ５６を一定期間だけオンすることにより、データ線５２から供給される画像信号Ｓ１、Ｓ２、…、Ｓｎを所定のタイミングで書き込む。
【００３７】
画素電極６６ａを介して電気光学物質である液晶に書き込まれた所定レベルの画像信号Ｓ１、Ｓ２、…、Ｓｎは、後述する対向電極６６ｂとの間で一定期間保持される。液晶は、印加される電圧レベルにより分子集合の配向や秩序が変化することにより、光を変調し、階調表示を可能にする。ここで、保持された画像信号がリークするのを防止するために、画素電極６６ａと対向電極６６ｂとの間に形成される液晶容量と並列に蓄積容量５５が付加されている。尚、符号５９は容量線である。
【００３８】
＜液晶装置の全体構成＞
図２は、液晶装置の全体構成を示す分解斜視図である。
液晶装置１００は、電気光学パネルである液晶パネル２にＦＰＣ基板(Flexible Printed Circuit：可撓性基板)３ａを接続し、さらに、液晶パネル２の背面側（非表示面側；図２の下面側）に光反射層２８を取り付けることによって形成される。光反射層２８の液晶パネル２の反対側には、駆動回路や制御回路が形成された制御基板５が設けられている。この制御基板５は、場合に応じて、液晶装置を構成する要素として用いられたり、あるいは、液晶装置が装着される電子機器を構成する要素として用いられたりする。ＦＰＣ基板３ａは、本実施形態の場合、液晶パネル２と制御基板５とを電気的に接続するために用いられる。
【００３９】
液晶パネル２は、環状のシール材６によって互いに貼り合わされた一対の基板７ａ及び７ｂを有する。本実施形態の液晶装置はスイッチング素子としてＴＦＴを用いたアクティブマトリクス方式の液晶装置であり、第１基板７ａ及び第２基板７ｂのいずれか一方はスイッチング素子が形成された素子基板であり、他方が対向基板である。本実施形態では、第１基板７ａを素子基板と考え、第２基板７ｂを対向基板と考えることにする。なお、液晶装置１００は透過型の液晶表示装置であることから、前面側（表示面側；図２の上面側）の基板である第２基板７ｂの基材１７ｂおよび背面側の基板である第１基板７ａの基材１７ａとしてはガラス等の透光性基材が用いられる。
【００４０】
図３は、液晶装置１００の平面図（図３（ａ））及び断面図（図３（ｂ））である。
図３に示すように、素子基板としての第１基板７ａの内面（液晶Ｌを保持する側の面）には画素電極６６ａが形成されている。画素電極６６ａは、透過モードを採用することから、ＩＴＯ等の透光性導電材料によって形成される。また図示を省略したが、第１基板７ａの内面には、前述のＴＦＴ５６や、ＴＦＴ５６に接続される走査線５１及びデータ線５２等の電気配線が形成されている。さらに、液晶装置１００がＴＮ等の偏光モードを採用する場合には、内面偏光子７８が形成される。本実施形態では、第１基板７ａをバックライトの導光体として用いるため、通常のように第１基板７ａの外面側に偏光板を配置することができない。よって、偏光モードを採用する場合には、第１基板７ａの内面側に偏光子（内面偏光子）７８を作り込む必要がある。
【００４１】
内面偏光子７８は、水溶性のリオトロピック液晶染料材料、あるいは二色染料を含有するサーモトロピック高分子液晶の層を形成した後、フォトリソグラフィ技術を用いてパターニングすることにより形成することができる。
また、内面偏光子７８としては、ワイヤーグリッド構造を採用することもできる。ワイヤーグリッドは、多数の平行導体線を光の波長より短いピッチで配列したものである。ワイヤーグリッドに入射した光は、その偏光成分のうち平行導体線の方向と一致した偏光状態の光は反射され、平行導体線の方向に対して垂直の偏光状態の光は反射されることなく、透過する。この構造においては、平行導体線の幅をａ、ピッチをｄとしたときに、(ａ／ｄ)≒０．６であることが好ましい。また、光の波長をλとしたときに、（λ／ｄ）≧５であることが好ましい。また、導体線の下側の層を反射性の高い膜で構成し、上側の層を反射性の低い膜で構成してもよい。反射性の高い膜としてはＡｇ，Ａｕ，Ａｌ、反射性の低い膜としてはＣｒ，Ｔｉを採用することができる。低コストという観点もしくはスパッタリングで形成できるという観点からは、Ａｌが好ましい。基板上にＴＦＴを形成する場合には、シリコン膜形成条件（３００℃〜６００℃）に対して耐熱性が必要であるため、ヒロックを発生させないようＡｌと安定金属との合金化を行なってもよい。
【００４２】
対向基板としての第２基板７ｂの内面には対向電極６６ｂが形成されている。この対向電極６６ｂは各画素電極６６ａに共通の共通電極として機能する。第２基板７ｂの外面には偏光板１２ｂが貼着されている。この偏光板１２ｂは偏光モードを採用しない場合には不要である。また、偏光板１２ｂを貼着する代わりに、第２基板７ｂの内面側に内面偏光子を形成してもよい。
このように構成された第１基板７ａ、第２基板７ｂ及びシール材６によって囲まれる間隙、いわゆるセルギャップ内には、電気光学物質である液晶Ｌが封入されている。
【００４３】
図３には示されていないが、第１基板７ａ及び第２基板７ｂには必要に応じて上記以外の各種の光学要素が設けられる。例えば、液晶Ｌの配向を揃えるための配向膜が各基板の内面に設けられる。これらの配向膜は、例えば、ポリイミド溶液を塗布した後に焼成することによって形成される。また、カラー表示を行う場合には、第１基板７ａに形成された画素電極６６ａに対向する部分の第２基板７ｂに、Ｒ（レッド）、Ｇ(グリーン)、Ｂ（ブルー）の各原色のカラーフィルタが所定の配列で形成され、画素電極６６ａに対向しない領域にはブラックマトリクスが形成される。さらに、カラーフィルタ及びブラックマトリクスの表面の平滑化及び保護のために平滑化層がコーティングされる。対向基板側に設けられる対向電極６６ｂは上記の平滑化層の上に形成される。
【００４４】
図２に戻って、第１基板７ａは第２基板７ｂから張出した張出し部７１を有しており、この張出し部７１には複数の端子１３ａが形成されている。これらの端子は、対向基板としての第２基板７ｂに対向する領域の第１基板７ａの表面に画素電極６６を形成する際に同時に形成される。ＦＰＣ基板３ａは、この張出し部７１において液晶パネル２と接続されている。
【００４５】
ＦＰＣ基板３ａは、ポリイミドその他の材料から成る可撓性ベース層に金属膜パターンを希望のパターン形状に形成することによって作製されている。ＦＰＣ基板３ａには、液晶パネル２側の辺端部の裏側（図２の下側面）に複数のパネル側端子１４が形成されており、液晶パネル２と反対側の辺端部の表面（図２の上側面）に複数の制御基板側端子１６が形成されている。また、ＦＰＣ基板３ａの表面の広い範囲に適宜の配線パターン１８が形成されており、この配線パターン１８は一方で制御基板側端子１６に直接につながり、他方でスルーホール１９を介して裏側のパネル側端子１４につながっている。
【００４６】
また、ＦＰＣ基板３ａの裏面すなわち配線パターン１８と反対側の面には、光源として、ＬＥＤ（点光源）等からなる光源装置２１が互いに適当な間隔を開けて１列に装着すなわち実装されている。これらの光源装置２１のための配線は、例えば、スルーホールを介して制御基板側端子１６に接続されている。なお、光源装置２１の発光面２１ＡはＦＰＣ基板３ａの反対方向、すなわち第１基板７ａの側端面（光取込み面７Ａ）に対向する方向を向くようになっている。
【００４７】
＜照明系の構成＞
図４（ａ）、（ｂ）、（ｃ）はそれぞれ、液晶装置１００の第１基板７ａを下面側からみたときの説明図、この第１基板７ａに形成した微細な凹部の説明図、およびこの凹部に形成した光路変換斜面の説明図である。
【００４８】
本実施形態の液晶装置１００では、液晶パネル２の一方の基板である第１基板７ａを導光体として利用し、これに光源装置２１を組み合わせることによって照明装置を構成している。すなわち、図２および図３に示すように、液晶装置１００に対してバックライト機能を設けるにあたって、本実施形態では、液晶層Ｌを保持する第１基板７ａおよび第２基板７ｂのうち、表示光が出射される側とは反対側に位置する第１基板７ａにおいて、端子１３ａが形成されている側の端部に、ＬＥＤ等からなる複数の光源２１が配置される。光源装置２１は、液晶パネル２と制御基板５とを接続するＦＰＣ基板３ａに実装されており、第１基板７ａの張出し部７１の側端面である光取込み面７Ａに対向配置されている。
【００４９】
第１基板７ａにおいて液晶Ｌを保持する側とは反対側の面には、図４（ａ）に示すような複数の微小な凹部７０が形成されている。これらの凹部７０の内面には、図４（ｂ）に示すように、光源２１が位置する側に向かって斜め上向きの微小な光路変換斜面７３が形成されている。この光路変換斜面７３は、例えば基板面に対して約３５°から約４８°の傾斜角になっている。
【００５０】
光路変換斜面７３は、図４（ａ）に示すように、第１基板７ａに多数形成されているが、本実施形態では、光源２１として点光源であるＬＥＤが用いられているので、光路変換斜面７３は光源２１を中心とする同心円状に分布している。すなわち、光路変換斜面７３は、１つ１つは細長い矩形形状を有しているが、光源２１の近くではそれを取り巻くように形成されている。また、光路変換斜面７３は、第１基板７ａ内における面内輝度均一性を向上するために、光源２１に近い領域に比較して光源２１から遠い領域で高密度に形成されている。通常、光源装置２１からの距離に応じて光路変換斜面７３に到達する光量は漸減していくので、これを補償するように、光源装置２１からの距離が増えるに従って光路変換斜面７３による集光作用或いは光偏向作用が強くなるように構成すれば、第１基板７ａの光出射面から出射される光量の均一性を向上させることができる。なお、光路変換斜面７３の形状については、光源２１に内側を向ける円弧状であってもよい。また、凹部７０に代えて、凸部に光路変換斜面７３を形成してもよい。また、上記の光路変換斜面７３に代えて、図５に示すようにドット状の凹部や凸部を上記の同様な分布で形成してもよい。さらに、図６に示すように、光路変換斜面は光源に対して水平方向に形成してもよい。
【００５１】
図３に戻って、第１基板７ａの液晶層Ｌを保持する側とは反対側の面（裏面）には光反射層２８が配置されている。光反射層２８は、第１基板７ａにおいて面内方向に進行する光を液晶層Ｌの方向へ反射させる機能を有する。この光反射層２８は、シート状のもの（光反射シート）、あるいは第１基板７ａに蒸着などの方法で成膜した金属膜などを用いることができる。制御基板５は、第１基板７ａの光反射層２８が装着された面に対向して配設されている。制御基板５の辺端部には外部回路との接続をとるための端子３３が形成されている。
【００５２】
なお、光反射層は、第１基板７ａの側面にも配置されている。この側面の光反射層２８ａは、第１基板７ａの側面に達した光を再び第１基板７ａの内側に反射させ、表示に寄与させる機能を有する。この光反射層２８ａは、光源装置２１と対向する側面（光取込み面７Ａ）を除く３つの側面全てに配置されている。
【００５３】
図２に分解状態で示す液晶装置１００の各構成部分を組み付ける際には、図３に示すように、ＦＰＣ基板３ａの液晶パネル２側の辺端部をＡＣＦ３４によって第１基板７ａの張出し部７１に接着する。この接着により、第１基板７ａの端子１３ａとＦＰＣ基板３ａの端子１４とがＡＣＦ３４内の導電粒子によって導電接続される。その後、ＦＰＣ基板３ａは張出し部７１を内側に巻き込むようにして第１基板７ａの光取込み面７Ａに沿って折り曲げられ、この曲げ状態においてＦＰＣ基板３ａの辺端部が制御基板５の辺端部に重ねられる。そして、ＦＰＣ基板３ａ側の端子１６が制御基板５側の端子３３に半田付け、あるいはその他の導電接続手法によって接続される。
【００５４】
導電接続のためにＦＰＣ基板３ａを上記のように曲げるとき、ＦＰＣ基板３ａの表面に装着した複数の光源装置２１は、ＦＰＣ基板３ａの折り曲げられた内側の部分において、その発光面が設けられた面２１Ａが第１基板７ａの光取込み面７Ａに対向して配置される。これにより、光源装置２１から導光体である第１基板７ａに対して光を入射することが可能になる。
【００５５】
なお、ＦＰＣ基板３ａは、図３に示すように、その先端部が他方の基板である第２基板７ｂに接するように配置されている。こうした場合、ＦＰＣ基板３ａが張出し部７１全体をカバーするように配置されるので、張出し部７１から外部に光漏れが生じることはない。このため、高い光利用効率又はコントラストの高い表示が可能になる。また、ＦＰＣ基板３ａにおいて、折り曲げられた内側の面３Ａであって光源装置２１の周囲に配置される部分には、白色のシルク印刷が施されている。このため、光源装置２１から射出された光を効率的に第１基板７ａに入射させることができ、明るい表示が可能となる。
【００５６】
また、第１基板７ａにおいて液晶層Ｌを保持する側の面には、第１基板７ａの基板材料よりも屈折率の低い低屈折率材料、例えばフッ化マグネシウムからなる低屈折率層７４が形成されている。このように低屈折率層７４を形成すると、第１基板７ａに入射された光は、やや大きな入射角の光であっても、第１基板７ａと低屈折率層７４との界面で反射しながら基板内を進行する。このため、光の照度分布が光取り込み面７Ａ側に偏ることがなく、基板全体にわたって均一な照明が可能となる。
【００５７】
さらに、第１基板７ａは、照明光の面内輝度均一性を向上するために、その板厚が光源装置２１から遠ざかるに従って薄くなる楔形の形状を有していることが望ましい。図７は、光取込み面７Ａ側の板厚ｄ１が光取込み面７Ａとは反対側の板厚ｄ２よりも厚い楔形基板の一例を示している。
【００５８】
また、第１基板７ａの光取込み面７Ａには、プリズム加工やブラスト加工が施されていることが望ましい。図７の第１基板７ａには、光取込み面７Ａに研磨加工が施され、更に研磨によって平滑化された面に、プリズム面７６と平面７５とが交互に連続する光学パターンが形成されている。プリズムとは、平行でない平面を２つ以上持つ透明体のことであり、プリズム面とはそのようなプリズムの外面のことである。本実施形態では、導光体である第１基板７ａの光取込み面７Ａの高さ方向の全域にわたって直線状に延びる断面三角形状で山状の突起がプリズム面７６として設けられている。係る構成を採用した場合、光源装置２１から出て第１基板７ａへ入る光は当該プリズム面７６によって適度に拡散され、光源装置２１の近傍領域に局所的高輝度領域が発生することが防止される。なお、第１基板７ａの光取込み面７Ａに直接プリズム加工等を行なう代わりに、光取込み面７Ａにプリズムシートや拡散シート等の光学シートを配置してもよい。これによっても同様の効果が得られる。
【００５９】
また、第１基板７ａにおいて液晶Ｌを保持する側の面（光出射面）には、プリズム効果又はレンズ効果をもたらす構造が形成されていることが望ましい。図８は、第１基板７ａの光出射面にプリズム面７９を構成する凹凸形状を形成した例を示している。このような構造を作りこむことで、従来、液晶パネルとバックライトとの間にプリズムシートを配置していたのと同様の効果が得られる。なお、この構成においては、ＴＦＴ等の回路層を形成するために、該回路層の下層側にプリズム面７９の凹凸７９ａを平滑化するための平坦化膜を形成することが望ましい。
【００６０】
＜照明系の作用＞
このように構成した液晶装置１００においては、光源装置２１が第１基板７ａの側端面に対向配置されているので、光源装置２１から出射された光は、第１基板７ａに入射し、面内方向に進行していく。この際、第１基板７ａの両面のうち、液晶層Ｌを保持する側の面から出射された光は、液晶層Ｌに入射し、表示に寄与する。これに対して、第１基板７ａにおいて液晶層Ｌを保持する側とは反対側の面に形成されている光路変換斜面７３に当たった光は、ここで光路が変換され、液晶層Ｌに入射し、表示に寄与する。
【００６１】
このように、本実施形態においては、液晶Ｌを保持する一対の基板７ａ，７ｂのうちの一方が導光板の機能を果たすため、従来別体として設けていたバックライト用の分厚い導光板を省略することができる。特に、本実施形態では、導光体である一方の基板７ａの表面に直接光路変換斜面７３を形成しているので、特開２００３−３３００２０号公報で用いられるような導光体シートも省略することができ、十分な薄型化および部品点数の削減による低コスト化を実現することができる。
【００６２】
＜液晶装置の製造方法＞
次に、本実施形態の液晶装置１００の製造方法について説明する。
図９は、液晶装置１００の製造工程を説明するためのフローである。本実施形態では、大面積のマザー基板を用いて複数の液晶装置を一括して形成し、切断によって個々の液晶装置に分離する方法を採用する。
本実施形態では、まず、第１基板７ａとなる複数の基板領域を含む第１マザー基板と第２基板７ｂとなる複数の基板領域を含む第２マザー基板を用意し、工程Ｐ１において、第１マザー基板の表面に内面偏光子、回路構造（ＴＦＴ素子，走査線，データ線，画素電極等）、配向膜等の構造を形成し、工程Ｐ２において、第２マザー基板の表面に対向電極や配向膜等の構造を形成する。そして、工程Ｐ２において、第１マザー基板の各基板領域の周囲にシール材６を塗布し、工程Ｐ２１において両基板をシール材６によって貼り合わせる（基板貼り合わせ工程）。
【００６３】
続いて、工程Ｐ２２において、これらの基板を１次ブレイクし、１列分のパネル構造体、いわゆる短冊状のパネル構造体（空パネル）に分割する。そして、工程Ｐ２３において、空パネルのギャップ内、即ち、一対の基板７ａ，７ｂの間に真空注入等により液晶Ｌを配する。そして、工程Ｐ２４において、パネル構造体を２次ブレイクし、個々の液晶パネル２に分割する（パネル形成工程）。
【００６４】
次に、工程Ｐ２５において、液晶パネル２の一方の基板である第１基板７ａにおいて液晶Ｌを保持する側とは反対側の面に、第１基板７ａの面内方向に進行しようとする光を液晶Ｌの保持された側に向かわせる複数の微小な光路変換斜面７３を形成する（光路変換斜面形成工程）。この工程は、第１基板７ａの裏面にフォトリソグラフィ技術によりパターニングを行ない、フッ酸等のエッチング液を用いてエッチングすることにより行なうことができる。この際、液晶封止エリアと端子露出部および周辺のシール部には、エッチング液が触れないようにレジスト等の保護膜をコーティングしておくことが望ましい。
【００６５】
なお、第１基板７ａの側面の加工や、第１基板７ａを楔形にする加工は、光路変換斜面７３の形成工程に付随して、光路変換斜面７３の形成と同時に又はそれの前後に行なわれる。側面の加工は、フッ酸等を用いたエッチング加工又はブラスト加工、研磨加工により行なうことができる。また、第１基板７ａを楔形にする加工は、フッ酸等を用いたエッチング加工又は研磨加工により行なうことができる。
【００６６】
次に、工程Ｐ２６において、第１基板７ａの裏面、および第１基板７ａの光取込み面７Ａ以外の側面に光反射シートを貼着し、光反射層２８を形成する。或いは、第２基板７ｂの表面と、第１基板７ａの端子部及び光取込み面７Ａを保護し、露出している第１基板７ａの裏面及び側面にアルミニウム等の金属膜を蒸着して光反射層２８を形成する。その後、必要に応じて偏光板等の光学部材を取り付ける。
【００６７】
次に、工程Ｐ２７において、液晶パネル２とＦＰＣ基板３ａ、およびＦＰＣ基板３ａと制御基板５とを接続する。これらの接続は、液晶パネル２，ＦＰＣ基板３ａ及び制御基板５の各々に形成されたアライメントマークを用いて正確に位置決めした状態で行なわれる。ＦＰＣ基板３ａには、接続に当たって又は接続後に、光源装置２１を実装する。光源装置２１の実装位置は、ＦＰＣ基板３ａを液晶パネル２の張出し部７１に沿って折り曲げたときに、光源装置２１がその張出し部７１の側端面７Ａに対向するような位置とされる。ＦＰＣ基板３ａの位置決めはアライメントマークを基準として行なわれるため、光源装置２１の位置は自動的に高精度なものとなる。よって、位置ずれによる光利用効率の低下（即ち、光取込み面７Ａに対して光を入射する際のロス）は殆どない。
この後、制御基板５を液晶パネル２の裏面側に対向配置した状態で全体を筐体で固定する。
以上により液晶装置１００が完成する。
【００６８】
この方法では、基板の貼り合わせ後、或いは液晶パネル２の形成後に第１基板７ａに加工を行なうため、フォトリソグラフィ工程におけるパターニングにおいて、第１基板７ａの表面（ＴＦＴ形成面）が装置のステージに触れることがなく、パターン不良やゴミ等の問題を生じない。このため、信頼性の高い液晶装置を提供することができる。
【００６９】
次に、液晶装置の他の製造方法について説明する。
図１０は、液晶装置１００の他の製造工程を説明するためのフローである。
本方法において先の方法と異なるのは、光路変換斜面７３の形成工程がパネル形成工程よりも前に行なわれる点である。すなわち、先の方法では、光路変換斜面７３を基板の貼り合わせを行った後、或いは液晶を注入して個々の液晶パネル２に分割した後に形成している。これに対して、本方法では、光路変換斜面７３の形成を液晶パネルの形成前、例えば第１基板７ａが素ガラスの状態において行なう。
【００７０】
本方法では、まず、第１基板７ａとなる複数の基板領域を含む第１マザー基板を用意し、工程Ｐ１において、この第１マザー基板が素ガラスの状態において、第１マザー基板の裏面側（即ち第１基板７ａの裏面側）に、当該第１基板７ａの面内方向に進行しようとする光を表面側に向かわせる複数の微小な光路変換斜面７３を形成する（光路変換斜面形成工程）。光路変換斜面７３の形成方法は、先に示したものと同様である。そして、工程Ｐ２において、この第１マザー基板の表面に、内面偏光子、回路構造（ＴＦＴ素子，走査線，データ線，画素電極等）、配向膜等の構造を形成する。また、これと並行して、第２基板７ｂとなる複数の基板領域を含む第２マザー基板を用意し、工程Ｐ１１において、この第２マザー基板の表面に対向電極や配向膜等の構造を形成する。
【００７１】
なお、光路変換斜面７３の形成と内面偏光子等の形成はどちらを先に行なってもよい。内面偏光子等の一部を形成してから光路変換斜面７３を形成し、その後、残りの内面偏光子等の構造を形成する等の変更も可能である。
また、第１基板７ａを楔形にする加工は、光路変換斜面７３の形成工程に付随して、光路変換斜面７３の形成と同時に又はそれの前後に行なわれる。この際、第１基板７ａを楔形にする加工は、フッ酸等を用いたエッチング加工又は研磨加工により行なうことができる。
【００７２】
次に、工程Ｐ３において、第１マザー基板の各基板領域の周囲にシール材６を塗布し、工程Ｐ２１において、第１マザー基板の表面側、即ち、光路変換斜面７３が形成された側とは反対側の面を他方の基板である第２マザー基板に対向させ、両基板をシール材６によって貼り合わせる（基板貼り合わせ工程）。そして、工程Ｐ２２において、これらの基板を１次ブレイクし、１列分のパネル構造体、いわゆる短冊状のパネル構造体（空パネル）に分割する。続いて、工程Ｐ２３において、空パネルのギャップ内、即ち、一対の基板７ａ，７ｂの間に真空注入等により液晶Ｌを配する。そして、工程Ｐ２４において、パネル構造体を２次ブレイクし、個々の液晶パネル２に分割する（パネル形成工程）。
【００７３】
次に、工程Ｐ２５において、第１基板７ａの裏面、および第１基板７ａの光取込み面７Ａ以外の側面に光反射シートを貼着し、光反射層２８を形成する。或いは、第２基板７ｂの表面と、第１基板７ａの端子部及び光取込み面７Ａを保護し、露出している第１基板７ａの裏面及び側面にアルミニウム等の金属膜を蒸着して光反射層２８を形成する。その後、必要に応じて偏光板等の光学部材を取り付ける。
【００７４】
次に、工程Ｐ２６において、液晶パネル２とＦＰＣ基板３ａ、およびＦＰＣ基板３ａと制御基板５とを接続し、制御基板５を液晶パネル２の裏面側に対向配置した状態で全体を筐体で固定する。この工程は先のものと同じである。
以上により液晶装置１００が完成する。
【００７５】
本方法においては、第１基板７ａの表面（ＴＦＴ形成面）がステージに触れてしまうといった問題はあるものの、マザー基板の状態で一括して第１基板の加工を行なうので、上述した前者の方法に比べてタクトの短縮化ができ、安価に製品を製造することができる。
【００７６】
［第２の実施形態］
次に、本発明の第２の実施形態について説明する。
図１１は、本実施形態に係る液晶装置２００の平面図（図１１（ａ））及び断面図（図１１（ｂ））であり、第１の実施形態の図３に対応する図である。なお、図１１において第１の実施形態と同様の部材又は部位については同じ符号を付している。
【００７７】
本実施形態において第１の実施形態と異なる点は、光源装置２１の配置のみである。すなわち、第１の実施形態の液晶装置１００では、光源２１はＦＰＣ基板３ａに実装され、ＦＰＣ基板３ａの折り曲げられた内側の部分において第１基板７ａの側端面７Ａに対向配置されていた。これに対して、本実施形態では、制御基板５が第１基板７ａから張出した張出し部５Ａを有しており、光源装置２１は、ＦＰＣ基板３ａではなく、この制御基板５の張出し部５Ａに実装されている。この張出し部５Ａは、第１基板７ａの張出し部７１から更に外側に張出しており、光源装置２１は、ＦＰＣ基板３ａの折り曲げられた内側の部分において第１基板７ａの張出し部７１の側端面７Ａに対向配置されている。
これ以外の構成は第１の実施形態と同様である。
【００７８】
本実施形態の構成によれば、光源装置２１と制御基板５とを一体化しているため、部品点数を削減することができる。また、制御基板５は、通常、ガラスエポキシ樹脂を基材とするため、平面が硬い。そのため、個々の光源装置２１の平滑面を容易にだすことができ、光取込み面７Ａに対する光の入射を確実に行なわせることができる。
【００７９】
［第３の実施形態］
次に、本発明の第３の実施形態について説明する。
図１２は、本実施形態に係る液晶装置３００の平面図（図１２（ａ））及び断面図（図１２（ｂ））であり、第１の実施形態の図３に対応する図である。なお、図１２において第１の実施形態と同様の部材又は部位については同じ符号を付している。
【００８０】
本実施形態において、第１基板７ａは、制御基板５が接続される張出し部７１とは異なる部分に他の張出し部７２を有している。この他の張出し部７２には、制御基板５に接続されたＦＰＣ基板３ａとは別の他のＦＰＣ基板３ｂが接続されている。光源装置２１は、ＦＰＣ基板３ａではなく、この他のＦＰＣ基板３ｂに実装され、前記他の張出し部７２の側端面７Ｂに対向配置されている。本実施形態では、この側端面７Ｂが光取込み面となる。
【００８１】
この液晶装置３００においては、他のＦＰＣ基板３ｂと第１基板７ａとの接続は、ＦＰＣ基板３ｂ及び第１基板７ａの各々に形成されたアライメントマークを用いて正確に位置決めした状態で行なわれる。他のＦＰＣ基板３ｂには、接続に当たって又は接続後に、光源装置２１を実装する。光源装置２１の実装位置は、他のＦＰＣ基板３ｂを液晶パネル２の他の張出し部７２に沿って折り曲げたときに、その張出し部７２の側端面７Ｂに対向する位置とされる。他のＦＰＣ基板３ｂの位置決めはアライメントマークを基準として行なわれるため、光源装置２１の位置は自動的に高精度なものとなる。よって、位置ずれによる光利用効率の低下（即ち、光取込み面７Ｂに対して光を入射する際のロス）は殆どない。
【００８２】
なお、他のＦＰＣ基板３ｂは、その先端部が他方の基板である第２基板７ｂに接するように配置されており、この他のＦＰＣ基板３ｂによって他の張出し部７２全体がカバーされるようになっている。また、他のＦＰＣ基板３ｂにおいて光源装置２１が実装された側の面には、光吸収が生じないように、白色のシルク印刷が施されている。さらに、光源装置２１の周囲には、光源装置２１を覆うように光反射層８０が設けられている。この光反射層８０は、他の張出し部７２を内側に巻き込むようにして第１基板７ａの表面側から裏面側に折り曲げられて取り付けられている。光反射層８０としては、ＰＥＴ基材のものやステンレス材等の金属製の基材に内面を高反射膜処理したものなどを用いることができる。
これ以外の構成は第１の実施形態と同様である。
【００８３】
本実施形態の構成によれば、光源装置２１と他のＦＰＣ基板３ｂとを一体化しているため、部品点数を削減することができる。また、光源装置２１と制御基板５とが離れて配置されるため、光源装置２１の点灯動作等によるノイズの影響を受けにくい。さらに、光源用のＦＰＣ基板３ｂと制御基板用のＦＰＣ基板３ａとは別々に設けられるため、容易に光源装置２１をリワークすることができる。
【００８４】
［第４の実施形態］
次に、本発明の第４の実施形態について説明する。
図１３は、本実施形態に係る液晶装置４００の平面図（図１３（ａ））及び断面図（図１３（ｂ））であり、第１の実施形態の図３に対応する図である。なお、図１３において第１の実施形態と同様の部材又は部位については同じ符号を付している。
【００８５】
本実施形態において、制御基板５は第１基板７ａから張出した張出し部５Ｂを有しており、光源装置２１は、ＦＰＣ基板３ａではなく、この制御基板５の張出し部５Ｂに実装されている。この張出し部５Ｂは、第１基板７ａの張出し部７１とは異なる部分から張出しており、光源装置２１は、この張出し位置において第１基板７ａの側端面７Ｃに対向配置されている。本実施形態では、この側端面７Ｃが光取込み面となる。
なお、光源装置２１の周囲には、光源装置２１を覆うように光反射層８５が設けられている。この光反射層８５は、張出し部５Ｂを内側に巻き込むようにして制御基板５の表面側から裏面側に折り曲げられて取り付けられている。光反射層８５としては、ＰＥＴ基材のものやステンレス材等の金属製の基材に内面を高反射膜処理したものなどを用いることができる。
これ以外の構成は第１の実施形態と同様である。
【００８６】
本実施形態の構成によれば、光源装置２１と制御基板５とを一体化しているため、部品点数を削減することができる。また、制御基板５は、通常、ガラスエポキシ樹脂を基材とするため、平面が硬い。そのため、個々の光源装置２１の平滑面を容易にだすことができ、光取込み面７Ｃに対する光の入射を確実に行なわせることができる。
【００８７】
［電子機器］
次に、本発明の電子機器につき、図１４を用いて説明する。図１４は、携帯電話の斜視図である。図１４において符号１０００は携帯電話を示し、符号１００１は表示部を示している。この携帯電話１０００の表示部１００１には、本実施形態の電気光学装置が採用されている。したがって、薄型・軽量の携帯電話１０００を提供することができる。
本発明は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネル等の電子機器の画像表示手段として好適に用いることができ、いずれの場合でも、薄型・軽量の電子機器を提供することができる。
【００８８】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。例えば、本実施形態では、ＴＦＴを用いたアクティブマトリクス方式の透過型液晶装置に本発明を適用したが、本発明はその他各種の方式の液晶装置、例えば半透過反射型の液晶装置、ＴＦＴ以外のスイッチング素子を用いたアクティブマトリクス方式の液晶装置、スイッチング素子を用いないパッシブマトリクス方式の液晶装置等に対して適用することもできる。また、電気光学物質として液晶以外のもの、例えば電気泳動粒子を分散媒中に含む電気泳動物質を用いた電気光学装置に本発明を適用してもよい。
【図面の簡単な説明】
【００８９】
【図１】第１の実施形態に係る液晶装置の等価回路図。
【図２】液晶装置の分解斜視図。
【図３】液晶装置の平面図及び断面図。
【図４】液晶装置の一方の基板を下面側からみたときの斜視図、この基板に形成した微細な凹部の説明図、およびこの凹部に形成した光路変換斜面の説明図。
【図５】光路変換斜面の他の形態を示す模式図。
【図６】光路変換斜面の他の形態を示す模式図。
【図７】一方の基板の要部斜視図。
【図８】一方の基板の要部斜視図及び断面図。
【図９】液晶装置の製造方法を示す工程フロー。
【図１０】液晶装置の他の製造方法を示す工程フロー。
【図１１】第２の実施形態に係る液晶装置の平面図及び断面図。
【図１２】第３の実施形態に係る液晶装置の平面図及び断面図。
【図１３】第４の実施形態に係る液晶装置の平面図及び断面図。
【図１４】電子機器の一例である携帯電話の斜視図。
【図１５】従来の液晶装置の断面図。
【符号の説明】
【００９０】
２…液晶パネル（電気光学パネル）、３ａ，３ｂ…ＦＰＣ基板、５…制御基板、５Ａ，５Ｂ…張出し部、７ａ…第１基板、７ｂ…第２基板、７Ａ，７Ｂ，７Ｃ…光取込み面、２１…光源装置（光源）、２８，２８ａ…光反射層、７１，７２…張出し部、７３…光路変換斜面、７４…低屈折率層、７６，７９…プリズム面、８０，８５…光反射層、１００，２００，３００，４００…液晶装置（電気光学装置）、１０００…電子機器、Ｌ…液晶（電気光学物質）
【図１】
2006201215.tif 000003
【図２】
2006201215.tif 000004
【図３】
2006201215.tif 000005
【図４】
2006201215.tif 000006
【図５】
2006201215.tif 000007
【図６】
2006201215.tif 000008
【図７】
2006201215.tif 000009
【図８】
2006201215.tif 000010
【図９】
2006201215.tif 000011
【図１０】
2006201215.tif 000012
【図１１】
2006201215.tif 000013
【図１２】
2006201215.tif 000014
【図１３】
2006201215.tif 000015
【図１４】
2006201215.tif 000016
【図１５】
2006201215.tif 000017